(57)【要約】【課題】温水を貯留するタンクの容量が大きく、かつ省スペース性に優れた人体局部洗浄装置を提供すること。【解決手段】人体局部洗浄装置は、局部洗浄用水を吐出する長尺状のノズルと、局部洗浄用水を貯留および加熱し、ノズルに供給する温水タンクと、外部の給水源に接続され、給水源から温水タンクへ水を流入させる管状の給水パイプと、給水パイプからタンクへの水の流入および停止を切り替える取水弁と、を有する。ノズルの長手方向と交差する方向を幅方向として、給水パイプは、取水弁よりも幅方向外側の位置に設けられる。そして、温水タンクは、給水パイプの基端として設けられた給水口の位置からノズルが占める位置までの幅方向全領域にわたって設けられる。【選択図】図１
2015048593.tif 000002
【特許請求の範囲】
【請求項１】
局部洗浄用水を吐出する長尺状のノズルと、前記局部洗浄用水を貯留および加熱し、前記ノズルに供給する温水タンクと、外部の給水源に接続され、前記給水源から前記温水タンクへ水を流入させる管状の給水パイプと、前記給水パイプから前記タンクへの水の流入および停止を切り替える取水弁と、を有し、
前記ノズルの長手方向と交差する方向を幅方向として、前記給水パイプは、前記取水弁よりも幅方向外側の位置に設けられ、前記温水タンクは、前記給水パイプの基端部として設けられた給水口の位置から前記ノズルが占める位置までの幅方向全領域にわたって設けられていることを特徴とする人体局部洗浄装置。
【請求項２】
前記温水タンクは、入水側タンク部材と吐水側タンク部材の２つの部材が幅方向に接合されて形成され、前記給水パイプおよび前記取水弁は前記入水側タンク部材に設けられ、前記ノズルは前記吐水側タンク部材に設けられていることを特徴とする請求項１に記載の人体局部洗浄装置。
【請求項３】
前記ノズルは、前記温水タンクの上下方向中央よりも上方から斜め下方に延びた状態で前記温水タンクに取り付けられ、前記ノズルの下側に面する前記温水タンクの壁面は、前記ノズルの傾斜に沿った形状を有することを特徴とする請求項１または２に記載の人体局部洗浄装置。
【発明の詳細な説明】
【技術分野】
【０００１】
本発明は、人体局部洗浄装置に関し、さらに詳しくは、便座に備えられ、人体局部洗浄用に温水を吐出する人体局部洗浄装置に関する。
【背景技術】
【０００２】
便座に備えられ、温水をノズルから吐出して人体局部を洗浄する人体局部洗浄装置においては通常、温水タンクに水を貯留して加熱し、局部洗浄用水としてノズルに供給する。温水タンクやノズルをはじめとする人体局部洗浄装置の構成部材は、便座後方の限られたスペースに配置する必要があるので、省スペース化や構造の簡素化を図る観点から、タンクの形状や配置が工夫されている。
【０００３】
例えば、特許文献１に開示されている洗浄水タンクは、上部材と下部材の開口縁を互いに接合した構成を有し、上部材と下部材の接合部がなす接合面は洗浄水タンクの底面に対して斜めとなる傾斜面とされている。そして、上部材と下部材の開口縁の少なくとも一部に外方に張り出した補強縁を設け、その補強縁にノズル装置が設置されている。つまり、洗浄水タンクとノズル装置は補強縁を介して隣接している。また、ノズルが設けられているのと反対側の洗浄水タンクの壁面には、洗浄水の供給と停止を行う開閉弁が外側に突出して設けられており、さらに開閉弁の外側に突出して、洗浄水タンクに洗浄水を供給する給水接続部が設けられている（引用文献１中図２参照）。
【先行技術文献】
【特許文献】
【０００４】
【特許文献１】特開２００８−３８４３３号公報
【発明の概要】
【発明が解決しようとする課題】
【０００５】
人体局部洗浄装置においては、限られたスペースに設置する必要から、温水タンクの形状が、バルブやノズル等の部材の形状の制約を受けやすい。すると、温水タンクの容量が小さくなりがちであり、ノズルからの局部洗浄用水の安定な吐出や、局部洗浄の多様な形態の提供に支障が生じる場合がある。例えば、特許文献１の構成においては、洗浄水タンクの形状が、ノズル装置の位置と、開閉弁および給水接続部の位置とによる制約を受け、洗浄水タンクの幅方向の大きさが、ノズル装置と開閉弁の間に収まるものとなっている。
【０００６】
本発明が解決しようとする課題は、温水を貯留するタンクの容量が大きく、かつ省スペース性に優れた人体局部洗浄装置を提供することにある。
【課題を解決するための手段】
【０００７】
上記課題を解決するために、本発明にかかる人体局部洗浄装置は、局部洗浄用水を吐出する長尺状のノズルと、前記局部洗浄用水を貯留および加熱し、前記ノズルに供給する温水タンクと、外部の給水源に接続され、前記給水源から前記温水タンクへ水を流入させる管状の給水パイプと、前記給水パイプから前記タンクへの水の流入および停止を切り替える取水弁と、を有し、前記ノズルの長手方向と交差する方向を幅方向として、前記給水パイプは、前記取水弁よりも幅方向外側の位置に設けられ、前記温水タンクは、前記給水パイプの基端部として設けられた給水口の位置から前記ノズルが占める位置までの幅方向全領域にわたって設けられていることを要旨とする。
【０００８】
ここで、前記温水タンクは、入水側タンク部材と吐水側タンク部材の２つの部材が幅方向に接合されて形成され、前記給水パイプおよび前記取水弁は前記入水側タンク部材に設けられ、前記ノズルは前記吐水側タンク部材に設けられていることが好ましい。
【０００９】
また、前記ノズルは、前記温水タンクの上下方向中央よりも上方から斜め下方に延びた状態で前記温水タンクに取り付けられ、前記ノズルの下側に面する前記温水タンクの壁面は、前記ノズルの傾斜に沿った形状を有するとよい。
【発明の効果】
【００１０】
上記発明にかかる人体局部洗浄装置によると、温水タンクの幅が、給水口が設けられた位置とノズルが占める位置との間の全領域に及んでいる。これにより、給水口とノズルの位置の間の距離よりも幅方向に短く温水タンクが形成されている場合と比較して、温水タンクの容量を大きくすることができる。また、ノズルの位置は、便座との関係において規定されているので、給水パイプを配置できる位置も、外部の給水源との接続を行える位置として定められており、温水タンクの容量をこのように大きくすることによって、ノズル、温水タンク、給水パイプおよび取水弁を含んでなるユニットが幅方向に占める空間が大きくなる訳ではなく、温水タンクの大容量化を省スペース性と両立することができる。
【００１１】
ここで、温水タンクが、入水側タンク部材と吐水側タンク部材の２つの部材が幅方向に接合されて形成され、給水パイプおよび取水弁が入水側タンク部材に設けられ、ノズルが吐水側タンク部材に設けられている場合には、給水パイプや取水弁を備えた入水側タンク部材と、ノズルを備えた吐水側タンク部材とを相互に接合するだけで、上記のような大容量化に適した温水タンクを簡便に製造することができる。
【００１２】
また、ノズルが、温水タンクの上下方向中央よりも上方から斜め下方に延びた状態で温水タンクに取り付けられ、ノズルの下側に面する温水タンクの壁面が、ノズルの傾斜に沿った形状を有する場合には、ノズルを温水タンクの壁面に沿ってコンパクトに配置できるとともに、温水タンクの容量を大きくとることができる。よって、温水タンクの容量と省スペース性を一層高度に両立することができる。
【図面の簡単な説明】
【００１３】
【図１】本発明の一実施形態にかかる人体局部洗浄装置の本体部の斜視図である。
【図２】上記人体局部洗浄装置の別の角度における斜視図である。
【図３】上記人体局部洗浄装置の温水タンクおよびノズル部分の側面図である。
【図４】（ａ）は上記人体局部洗浄装置の側面図であり、（ｂ）は（ａ）中のＡ−Ａ断面図、（ｃ）は（ａ）中のＢ−Ｂ断面図である。
【図５】図３中のＣ−Ｃ断面図である。
【図６】（ａ）は図３中のＤ−Ｄ断面図、（ｂ）は（ａ）中のＥ−Ｅ断面図、（ｃ）は（ａ）中のＦ−Ｆ断面図である。
【図７】上記人体局部洗浄装置全体の構成を示す斜視図である。
【発明を実施するための形態】
【００１４】
以下、本発明の一実施形態にかかる人体局部洗浄装置について、図面を参照しながら詳細に説明する。本実施形態にかかる人体局部洗浄装置１は、図７に示すように、便器１００に設置され、ノズル３１，３２を介して温水を吐出して使用者の局部を洗浄するものである。
【００１５】
人体局部洗浄装置１は、着座部となる便座３と、便座３の後方に設けられた本体部２を有してなる。本体部２は、温水の吐出や温風の発生等を行う機器類や制御部等を、ケーシング４に覆われた状態で有してなる。人体局部洗浄装置１は、本体部２の構成、とりわけ温水を貯留する温水タンク１０、および温水タンク１０から供給された温水を吐出するノズル３１，３２近傍の構造に特徴を有する。なお、本明細書において、便座３が設けられた側を前方、本体部２が設けられた側を後方とし、上下方向は重力方向に従うものとする。そして、前後方向および上下方向に直交する方向を幅方向とする。
【００１６】
図１〜６に、本体部２の温水タンク１０近傍の構成を、ケーシング４除いた状態で示す。図１および図２は異なる角度からの斜視図、図３は入水側から見た側面図、図４（ａ）は吐水側から見た側面図、図４（ｂ），（ｃ）および図５，６は所定の断面における断面図である。
【００１７】
温水タンク１０をはじめとする本体部２を構成する各機器や部材は、ベースプレート４０に対して固定されている。ベースプレート４０の前方には、便座３が回動可能に結合されている。ベースプレート４０を便器１００の上面後方に固定することで、本体部２と便座３が便器１００に取り付けられる。
【００１８】
長尺状のノズル３１，３２よりなるノズル対３０は、便座３の幅方向中央に当たる位置に両ノズル３１，３２の間の中心の位置を揃え、長手方向軸を前後方向に略平行にして、配置されている。ノズル３１，３２は、それぞれ中空筒状のシリンダ部と、シリンダ部の中空部内に同軸状に保持されたノズル本体部（各図の状態ではシリンダ中に収容されており、不図示）とを有する。温水タンク１０から供給された局部洗浄用水が、ノズル本体部の先端近傍より吐出され、人体局部を洗浄する。ノズル本体部は、シリンダ部の中空部内で進退可能となっており、局部洗浄に使用される際には、温水タンク１０から供給される局部洗浄用水の水圧によって所定の位置まで前進される。局部洗浄に使用されない際には、ノズル本体部は後退してシリンダ内に収容される。２本のノズル３１，３２は、洗浄を行う人体部位や目的の違いによって使い分けられる（例えば、肛門洗浄用と、いわゆるビデ洗浄用）。ノズル３１，３２のシリンダ部の先端部３１ａ，３２ａは、ベースプレート４０の前端部に立設されたベース前端面４１において保持されるとともに、基端部３１ｂ，３２ｂが、温水タンク１０の上下方向中央よりも上側の位置において、温水タンク１０に固定されている。これにより、ノズル３１，３２が温水タンク１０とベース前端面４１の間で位置決めされ、前方に向かって斜め下に傾斜した状態で保持されている。
【００１９】
温水タンク１０は、中空の容器として構成され、公共水道等、人体局部洗浄装置１の外部の給水源から水を供給され、その水を貯留するとともに、ヒータ８０によって加熱する。ヒータ８０は、セラミックヒータのような筒状の加熱部８１と、サーミスタのような温度測定手段を有してなり、温水タンク１０内に挿入されて、温水タンク１０内に貯留された水を所定の温度に制御して加熱するものである。ヒータ８０の加熱部８１は、温水タンク１０の上下方向中央部よりも下方に設けられている。
【００２０】
温水タンク１０は、ポリプロピレン等の樹脂よりなっている。温水タンク１０は、入水側タンク部材１１と吐水側タンク部材１２という、幅方向に分割された２つの部材よりなっている。入水側タンク部材１１と吐水側タンク部材１２のそれぞれの開口部の端縁には、外側に張り出した縁部１１ａ，１２ａが設けられている。そして、縁部１１ａ，１２ａが相互に溶着されることで、入水側タンク部材１１と吐水側タンク部材１２が開口部において接合され、中空の温水タンク１０とされている。溶着部のなす面は、上下方向と略平行になっている。
【００２１】
入水側タンク部材１１には、外部の給水源から水を取り込むために、給水パイプ５２、電磁弁（取水弁）５１、リリーフ弁５３、流入水路５４が、形成されている。これらの部材が設けられた部位の構造は、図４にとりわけ詳しく示されている。給水パイプ５２は、入水側タンク部材１１の側壁である入水側タンク側壁１１ｂから幅方向外側に突出した管状の部材であり、その中空部と入水側タンク部材１１の内側の空間が連通されている。給水パイプ５２は、外部の給水源に接続される。そして、給水源から供給された水が、給水パイプ５２の基端部（給水パイプ５２と入水側タンク側壁１１ｂとの接合部）として設けられた給水口５２ａを通って、温水タンク１０の中に流入する。
【００２２】
流入水路５４は、入水側タンク部材１１の内部に、入水側タンク部材１１内の空間を仕切るように入水側タンク部材１１と一体に形成された水路隔壁５４ａと、入水側タンク部材１１の壁面とに挟まれた空間として設けられている。そして、水路隔壁５４ａは、給水パイプ５２の壁面と連続しており、流入水路５４内の空間は、給水パイプ５２の中空部と連通している。これにより、給水パイプ５２を通って給水源から供給された水は、全て流入水路５４を通って温水タンク１０内に流入する。ここで、入水側タンク側壁１１ｂは、ベースプレート４０の幅方向の外縁であるベース側面４２よりも内側に位置しているが、給水パイプ５２の先端は、継手等を使用した給水源への接続作業が行いやすいように、ベース側面４２に設けられた貫通孔を通って、ベース側面４２の外側に突出している。
【００２３】
給水パイプ５２よりも幅方向内側に位置する流入水路５４の中途部位には、電磁弁５１が設けられている。電磁弁５１は電気信号を受けて開閉制御され、電磁弁５１が開状態にある時には、給水源から流入水路５４を介して温水タンク１０へと水が流入する。電磁弁５１が閉状態にある時には、流入水路５４の途中で水の流れが遮断され、給水源から温水タンク１０への水の流入が停止される。電磁弁５１において、弁座が形成された樹脂よりなる弁箱５１ａは、入水側タンク部材１１と一体に形成されている。
【００２４】
流入水路５４の中途部位にはさらに、リリーフ弁５３が設けられている。リリーフ弁５３は、開放量を調節可能なバルブであり、水の流入によって温水タンク１０内の水圧が高まった際に、流入水路５４内の水を便器１００に捨てることで、温水タンク１０内の水圧を一定に保つ役割を果たす。リリーフ弁５３においても、電磁弁５１と同様に、弁箱５３ａは、入水側タンク部材１１と一体に形成されている。流入水路５４には加熱されない冷水が流れ、流入水路５４の外側の温水タンク１０内の領域にはヒータ８０で加熱された温水が満たされるが、リリーフ弁５３が電磁弁５１と並んで流入水路５４上に設けられていることで、流入水路５４を通って温水タンク１０内に流入した直後の冷水を選択的に放出することができる。これにより、既に加熱された温水を放出することによる加熱効率の低下が抑制されている。リリーフ弁５３から放出された水が飛散しないように、リリーフ弁５３は水平方向かそれよりも下方に突出して設けられている。
【００２５】
図５に示すように、吐水側タンク部材１２の上下方向中央部より上方の部位には、中空筒状の吐水パイプ１４，１５が一体に設けられている。吐水パイプ１４，１５は、斜め下方に向かって突出している。そして、吐水パイプ１４，１５は、ノズル３１，３２のシリンダ部の中空部内に挿入されている。そして、シリンダ部がＯリング等のシール部材（不図示）を介して吐水パイプ１４，１５に結合されることで、ノズル３１，３２が吐水側タンク部材１２の前方に固定される。
【００２６】
吐水側タンク部材１２内の空間と吐水パイプ１４，１５の間には、流路切替えバルブ６０が設けられている。流路切替えバルブ６０は、ロータリー式と称される方式のものであり、吐水パイプ１４，１５のうち一方を選択して温水タンク１０内の局部洗浄用水を流出させるとともに、その流出量を調整する役割を果たす。これにより、ノズル３１，３２のいずれか一方から選択的に、所定の流量の局部洗浄用水を吐出することができる。流路切替えバルブ６０は、吐水側タンク部材１２の側壁である吐水側タンク側壁１２ｂから内側に向かって吐水側タンク側壁１２ｂと一体に形成された中空の軸ケース６５を有し、軸ケース６５内には、軸部材６２が軸回転可能に挿入されている。軸部材６２は、吐水側タンク側壁１２ｂから突出した操作部６１に結合されたモータ（不図示）によって回転される。軸部材６２には、温水タンク１０内の空間と連通し、局部洗浄用水が流入する軸内空間６６が形成されている。そして軸部材６２には、第一の吐水パイプ１４と軸内空間６６を連通させる第一の連通孔６３と、第二の吐水パイプ１５と軸内空間６６を連通させる第二の連通孔６４が形成されている。第一の連通孔６３と第二の連通孔６４は、軸部材６２の異なる回転位置に形成されており、軸部材６２が所定の回転角度に回転され、第一の連通孔６３と第一の吐水パイプ１４の基端部の位置、または第二の連通孔６４と第二の吐水パイプ１５の基端部の位置が重なった際に、温水タンク１０内の局部洗浄用水が軸内空間６６を介して、第一のノズル３１または第二のノズル３２に選択的に供給される。さらに、２つの連通孔６３，６４の壁面には、テーパ面（第二の連通孔６４については符号６４ａにて図示）が形成されており、軸部材６２の回転角度を微調整することで、ノズル３１，３２へ供給される局部洗浄用水の流量を調節することができる。
【００２７】
吐水側タンク部材１２においては、２つの吐水パイプ１４，１５が設けられている位置の下方に、吐水パイプ１４，１５の突出方向と略平行に、斜め下方に傾斜した傾斜壁面１３が形成されている。そして、基端部３１ｂ，３２ｂを吐水パイプ１４，１５と同軸状に吐水側タンク部材１２に固定された２本のノズル３１，３２は、下側部（第二のノズル３２については符号３２ｃにて図示）を傾斜壁面１３に略平行に沿わせるようにして斜め下方に延びた状態で、温水タンク１０とベース前端面４１との間に保持されている。
【００２８】
さらに、入水側タンク部材１１と吐水側タンク部材１２の内側の空間には、図６に示されるように、第一の仕切板７１と第二の仕切板７２よりなる仕切部材７０が設けられている。これらの仕切板７１，７２は、後方に向かって斜め下に傾斜した平板状の形状を有しており、入水側タンク部材１１および吐水側タンク部材１２の前方の壁面に一体に形成されている。２つの仕切板７１，７２の下端縁７１ａ，７２ａは、温水タンク１０の底面に接触しておらず、温水タンク１０の底面との間に、水が通過できる空隙Ｇが形成されている。そして、仕切板７１，７２の下端縁７１ａ，７２ａは、ヒータ８０の加熱部８１の上端部８１ａよりも、下方に配置されている。
【００２９】
仕切部材７０は、電磁弁５１を介して給水パイプ５２から温水タンク１０に流入した冷水と、ヒータ８０の加熱部８１によって加熱された温水とが直接混合されないようにすることで、温水タンク１０内での加熱の均一性を高めるものである。仕切板７１，７２の下端縁７１ａ，７２ａが、加熱部８１の上端部８１ａよりも下方に位置することで、流入水路５４を通って仕切部材７０よりも下方に流入した冷水が、仕切部材７０によって水勢を弱められたうえで、空隙Ｇを通って徐々に上昇して、既に加熱された温水と徐々に混合されながら、加熱部８１によって加熱を受ける。加熱された温水は、さらに上昇して、温水タンク１０の上下方向中央よりも上方に設けられた吐水パイプ１４，１５を介して、ノズル３１，３２に供給される。これにより、安定した十分に高い温度に加熱された局部洗浄用水がノズル３１，３２から吐出される。なお、このような仕切部材７０の役割に鑑みると、２枚の仕切板７１，７２の間の隔たりは、ない方が好ましいが、入水側タンク部材１１と吐水側タンク部材１２から温水タンク１０を構成しているために、不可避的に生じているものである。
【００３０】
以上のように、温水タンク１０は、入水側タンク部材１１と吐水側タンク部材１２が幅方向に接合されて形成されており、電磁弁５１の位置よりも幅方向外側に位置する入水側タンク側壁１１ｂに、給水口５２ａを有する給水パイプ５２が設けられている。また、吐水側タンク部材１２の前方側にノズル３１，３２が固定され、かつ、吐水側タンク側壁１２ｂから内側に向かって形成された流路切替えバルブ８０と吐水パイプ１４，１５を介して、吐水側タンク部材１２とノズル３１，３２が接続されていることから、吐水側タンク側壁１２ｂは、ノズル３１，３２が存在する位置よりも、入水側タンク側壁１１ｂから幅方向に離れた位置に存在することになる。つまり、温水タンク１０が占める空間は、給水口５２ａの位置からノズル３１，３２が占める位置までの幅方向の全領域にわたっている。このことは、温水タンク１０の容量を大きくするのに、効果を有する。
【００３１】
特許文献１に示されるような従来一般の人体局部洗浄装置の温水タンクにおいては、温水タンクと別体に形成された電磁弁（特許文献１では開閉弁１８）が温水タンクに接続されるが、この場合、入水側タンク側壁１１ｂに対応する温水タンクの入水側の壁面の位置は、電磁弁の上流に設けられた給水パイプ（特許文献１では給水接続部１７）および給水口の位置よりも幅方向内側となる。また、従来一般の人体局部洗浄装置の温水タンクにおいては、温水タンクとノズルが幅方向に並べて配置され、それらの間がホースやパイプ等で接続されており、吐水側タンク側壁１２ｂに対応する温水タンクの吐水側の壁面は、ノズルが設置されている位置よりも、入水側の壁面に近い位置にある。つまり、特許文献１に示されているような従来一般の人体局部洗浄装置においては、温水タンクは、給水パイプとノズルの間の間隔よりも狭い領域しか幅方向に占めていない。これに対し、本実施形態にかかる人体局部洗浄装置１においては、温水タンク１０が幅方向に占める領域が、給水口５２ａとノズル３１，３２の間の間隔と同じかそれよりも大きくなっており、温水タンク１０が大きな容量を備えることができる。温水タンク１０の容量が大きいと、水勢および水温が安定した局部洗浄用水をノズル３１，３２から吐出することができ、また、一度に多量の局部洗浄用水をノズル３１，３２から吐出するなど、多様な使用形態に対応することも可能となる。
【００３２】
給水パイプ５２の位置は、公共水道等の給水源に接続可能な位置として定まっており、ノズル３１，３２の位置も、便座３に対して幅方向中央の位置と決まっている。よって、温水タンク１０を上記のように幅方向に大きく形成しても、温水タンク１０（および各種バルブなど温水タンク１０と一体に形成された各部材）とノズル３１，３２からなるユニットが、幅方向に占める空間が大きくなる訳ではない。これにより、温水タンク１０の大容量化と省スペース化を両立することができ、便座３の後方の限られた空間を有効に利用しながら、温水タンク１０の容量を大きくすることができる。なお、本実施形態においては、給水パイプ５２を給水源に接続しやすいように、給水パイプ５２の先端部がベース側面４２よりも外側に突出しているが、必ずしもその必要はなく、給水源側の接続部の位置および形状によっては、給水パイプ５２全体がベース側面４２よりも内側に収容されていてもよい。また、給水パイプ５２は、図示したようなまっすぐな筒状のものに限られず、エルボー形等、任意の管形状を有していてもよい。
【００３３】
また、本実施形態にかかる人体局部洗浄装置１においては、ヒータ８０の加熱部８１が温水タンク１０の上下方向中央部よりも下方に設けられ、ノズル３１，３２が接続された吐水パイプ１４，１５が温水タンク１０の上下方向中央部よりも上方に設けられている。この構成と、仕切部材７０の構成により、加熱部８１で加熱されて吐水パイプ１４，１５の位置まで上昇した温水を、ムラがなく安定で、十分に高い温度でノズル３１，３２から吐出することができる。このような利点を得るための要請から、ノズル３１，３２は、基端部３１ｂ，３２ｂを温水タンク１０の幅方向中央よりも上方に固定され、斜め下方に延出するように保持されている。この状況で、ノズル３１，３２の傾斜に沿った温水タンク１０の傾斜壁面１３が、ノズル３１，３２の下側部に面して形成されていることによって、ノズル３１，３２が、温水タンク１０との位置関係において、コンパクトに配置されている。同時に、傾斜壁面１３を形成しておくことで、ノズル３１，３２の下側の空間を、局部洗浄用水を貯留できる空間として有効に利用することができている。このように、温水タンク１０が傾斜壁面１３を有することで、一層の温水タンク１０の大容量化と省スペース化が達成されている。
【００３４】
従来一般の人体局部洗浄装置においては、温水タンクと別体に、電磁弁、リリーフ弁、流路切替えバルブ、ノズルが設けられ、それら相互の間をホースやパイプ等の管状接続部材で接続している。これに対し、本実施形態にかかる人体局部洗浄装置１においては、温水タンク１０に、給水パイプ５２、水路隔壁５４ａ、電磁弁５１、リリーフ弁５３、流路切替えバルブ６０、吐水パイプ１４，１５が全て一体に形成されている。そして、ノズル３１，３２が、吐水パイプ１４，１５を介して温水タンク１０に直接固定され、接続されている。この構成により、入口である給水パイプ５２から出口であるノズル３１，３２に至る水流路を、ホースやパイプ等、別体の接続部材を全く用いることなく構築することが可能となっている。これにより、温水タンク１０およびノズル３１，３２周辺の構造が簡素になり、省スペース化と接続に要する部品コストの削減が達成されるとともに、タンク、ノズルおよび周辺部材の組み上げが容易に行えるようになっている。さらに、従来は温水タンク、ノズル、そして各バルブで別々に行っていた気密検査を、給水パイプ５２から温水タンク１０を通ってノズル３１，３２に至る水流路全体で一括して行うことができるので、検査工程に要する時間とコストが大幅に削減されている。
【００３５】
上記のように、本実施形態にかかる人体局部洗浄装置１においては、温水タンク１０が入水側タンク部材１１と吐水側タンク部材１２の２つの部材に分割されて構成されている。温水タンク１０全体を１つの部材より形成しても、温水タンク１０を、給水口５２ａの位置からノズル３１，３２の位置に及ぶ空間を幅方向に占める大容量のものとすることや、傾斜壁面１３を有したものとすることは可能である。しかし、給水パイプ５２、水路隔壁５４ａ、電磁弁５１、リリーフ弁５３、流路切替えバルブ６０、吐水パイプ１４，１５、そして仕切板７１，７２を、温水タンク１０の壁面と一体に形成することを考えると、温水タンク１０は２つに分割された部材よりなることが好適である。それら各部材を一体に設けた入水側タンク部材１１と吐水側タンク部材１２を、金型成形によって別々に形成したうえで、両者を幅方向に接合することで、簡便に温水タンク１０を形成することができるからである。
【００３６】
また、傾斜壁面１３や吐水パイプ１４，１５、仕切板７１，７２が、傾斜を有して形成されていることに鑑みると、温水タンク１０は、上下に２つに分割されて構成されているよりも、上記のように幅方向に２つに分割されて構成されている方が好ましい。その方が、これら傾斜を有する部材を一体に備えたタンク部材を、割型を用いて成形しやすいからである。この意味で、電磁弁５１とリリーフ弁５３は、相互に平行に設けられていることが好ましい。また、給水パイプ５２および水路隔壁５４ａは、仕切板７１，７２と平行になっていることが好ましい。
【００３７】
（その他の実施形態）
上記実施形態にかかる人体局部洗浄装置１には、以下のような変形形態が考えられる。
（１）上記実施形態においては、シリンダ部とノズル本体部よりなり、局部洗浄用水の水圧によってノズル本体部がシリンダの中で進退運動する水圧式ノズル３１，３２が設けられた。そして、ノズル３１，３２（シリンダ部）の基端部３１ｂ，３２ｂが吐水パイプ１４，１５に接続され、温水タンク１０に固定された。しかし、水圧式ノズル３１，３２の代わりに、シリンダを有さず、露出したノズルがモータに駆動されて進退運動を行う電動式ノズルを採用することもできる。この場合には、ノズルに取り付けられたピニオンと噛み合うラックを備えノズルを保持するガイド部材を、温水タンク１０に固定するとともに、ガイド部材に固定されノズルに洗浄用水を供給するための水の入口となる給水アダプタを吐水パイプ１４，１５に接続するとよい。
【００３８】
（２）上記実施形態においては、流路切替えバルブとして、軸部材６２の軸回転によって流路の選択と流量の調整を行うロータリー式の流路切替えバルブ６０が使用された。しかし、２つの吐水パイプ１４，１５と連通可能な２つの貫通孔を有するディスク状部材を面内回転させることで流路の選択と流量の調整が可能な、ディスク式の流路切替えバルブを用いることもできる。この場合も、ディスク状部材を受容するケース部材を、温水タンク１０の壁面と一体に形成することが好ましい。
【００３９】
（３）上記実施形態においては、加熱効率の向上を図るために、流入水路５４や仕切部材７０が設けられたが、これらは必ずしも設けられなくてもよい。また、設けられる場合にも、温水タンク１０と一体に形成されている必要はない。同様に、各種バルブやパイプも、温水タンク１０と一体に形成されていなくてもよい。また、リリーフ弁５３を備える代わりに、電磁弁５１よりも上流に、水を捨てることなく通過する水の流量を調整できるレギュレータを設けてもよい。
【００４０】
以上、本発明の実施形態について詳細に説明したが、本発明は上記実施形態に限定されるものではなく、本発明の要旨を逸脱しない範囲で種々の改変が可能である。
【符号の説明】
【００４１】
１                人体局部洗浄装置
２                本体部
３                便座
１０              温水タンク
１１              入水側タンク部材
１１ｂ            入水側タンク側壁
１２              吐水側タンク部材
１２ｂ            吐水側タンク側壁
１３              傾斜壁面
１４              第一の吐水パイプ
１５              第二の吐水パイプ
３１              第一のノズル
３２              第二のノズル
３１ａ，３２ａ    （ノズルの）先端部
３１ｂ，３２ｂ    （ノズルの）基端部
４０              ベースプレート
４１              ベース前端面
４２              ベース側面
５１              電磁弁（取水弁）
５２              給水パイプ
５２ａ            給水口
５３              リリーフ弁
５４              流入水路
５４ａ            水路隔壁
６０              流路切替えバルブ
６２              軸部材
６３              第一の連通孔
６４              第二の連通孔
６５              軸ケース
６６              軸内空間
７０              仕切部材
７１              第一の仕切板
７２              第二の仕切板
８０              ヒータ
８１              加熱部
Ｇ                空隙
【図１】
2015048593.tif 000003
【図２】
2015048593.tif 000004
【図３】
2015048593.tif 000005
【図４】
2015048593.tif 000006
【図５】
2015048593.tif 000007
【図６】
2015048593.tif 000008
【図７】
2015048593.tif 000009